(57)【要約】【課題】光ピックアップ装置の球面収差補正を目的とした小型で薄型の光学レンズ駆動装置を提供する。【解決手段】光学レンズを所定の方向に駆動するための駆動手段に薄型の平面型ステップモータを用い、ステップモータに組み込まれ外部に突出した回転出力歯車を２本のレンズホルダ摺動軸の間に配置する構成により、ステップモータ上部の空間に、回転出力歯車と摺動機構が配設されるので、光学レンズ駆動装置の平面方向、厚み方向の大きさを低減することが出来、小型の光学レンズ駆動装置を提供することが出来る。【選択図】図１
2008198305.tif 000002
【特許請求の範囲】
【請求項１】
光学レンズを保持するレンズホルダと、
当該レンズホルダと一体に形成されるラックと、
前記レンズホルダを摺動可能に保持する２本のレンズホルダ摺動軸と、
回転駆動力を回転出力歯車に供給する駆動装置と、を備え、
前記２本のレンズホルダ摺動軸の間に、前記回転出力歯車と前記ラックとを歯合させて配置することで、前記駆動装置により与えられる前記回転駆動力を直線駆動力に変換して、前記レンズホルダを所定の方向に向けて移動できる様にした
ことを特徴とする光学レンズ駆動装置。
【請求項２】
前記駆動装置は、平面型ステップモータである
ことを特徴とする請求項１に記載の光学レンズ駆動装置。
【請求項３】
前記光学レンズは、前記２本のレンズホルダ摺動軸の外側に配設される
ことを特徴とする請求項１または２に記載の光学レンズ駆動装置。
【請求項４】
前記レンズ装置と前記駆動装置とが、１つの支持基板上に固定配置されている
ことを特徴とする請求項１から３のいずれか一項に記載の光学レンズ駆動装置。
【請求項５】
請求項１から４のいずれか一項に記載の光学レンズ駆動装置を、レーザ光源と対物レンズを含む光学系の光路中に備えた
ことを特徴とする光ピックアップ装置。
【発明の詳細な説明】
【技術分野】
【０００１】
本発明は、光学レンズを光軸方向に摺動させる薄型の光学レンズ駆動装置と、それを用いた光ピックアップ装置に関するものである。
【背景技術】
【０００２】
従来から、ＤＶＤ等の光ディスクの再生又は記録を行う光ディスク装置に搭載される光ピックアップは、種々の要因により発生する波面収差の影響を受けて性能が劣化することが問題となっている。この波面収差には、光ディスクのチルト角等に起因するコマ収差や、光ディスクのカバー層の厚み誤差や情報記録面の多層化に伴う球面収差、及び光学系に起因する非点収差などが存在する。これらの収差の中で特に前述の球面収差は、光ディスクの記録密度が高密度化するに伴って影響が大きくなり、この球面収差を補正する技術が、今後の光ディスクの高密度化を実現する重要な要素の一つになっている。特に、今後、需要が急増すると予測されるＢｌｕ−ｒａｙディスク等の高密度光ディスク向け記録・再生用光ディスク装置では、球面収差補正機能を備えることが必須である。
【０００３】
この球面収差を補正するために、光学レンズを光軸方向に摺動させて球面収差を打ち消す手段を備えた光ピックアップ装置が開示されている（例えば特許文献１参照）。この光ピックアップ装置は、レーザ光源と、レーザ光源から出射される光ビームを情報記録媒体の記録層に集光させる対物レンズと、レーザ光源と対物レンズの間に球面収差補正用の光学レンズを配置し、この光学レンズを光軸方向に摺動させる光学レンズ駆動装置を備えて球面収差を打ち消し、高密度の光ディスクに対応出来るようになっている。
【０００４】
しかしながら、特許文献１に記載の光ピックアップ装置は、光学レンズを摺動する駆動手段として筒型モータを使用している。筒型モータは外形を小さくすると必要なトルクが得られないため、ある程度大きな外形にする必要がある。また、モータからの駆動力を伝達する歯車類は、回転方向を横方向から縦方向に９０度変換する変換機構（ウォームギア）を有する構造を採用しているので、機構が複雑でスペース効率が悪く、また高さ方向にも厚みがある。このような外形サイズの大きい光ピックアップ装置をノート型パソコンなどに搭載される光ディスク装置に組み込むと、光ピックアップ装置の大きさがノート型パソコン全体の外形サイズに影響し、ノート型パソコンの小型化薄型化に対して大きな障害となる。
【０００５】
また、光ピックアップ装置の用途ではないが、撮像系のレンズ駆動装置に搭載される平面型のステップモータが開示されている（例えば特許文献２参照）。この平面型のステップモータは、永久磁石からなるロータと、このロータが入るロータ穴を有するステータと、ステータに固定されたコイルとを平面状に配置している。また、このモータの回転方向は駆動力を伝達する歯車類と同一の縦方向であるので、回転方向を変換する必要のない単純な機構によって薄型化を実現している。
【０００６】
ここで、前述した特許文献１の光学レンズ駆動装置に搭載される筒型モータの代わりに、特許文献２に開示されている平面型のステップモータを組み込んだ光学レンズ駆動装置について検討する。これは、平面型のステップモータを組み込めば、従来の光学レンズ駆動装置の厚みを薄くすることが期待出来るからである。図４は、特許文献１で開示されている球面収差補正のための光学レンズ駆動装置に搭載される筒型モータの代わりに、特許文献２で開示されている平面型のステップモータを組み込んだ従来の光学レンズ駆動装置の斜視図である。
【０００７】
図４において、１００は従来の光学レンズ駆動装置であり、１０１は光学レンズ駆動装置１００の主な部品を搭載する支持基板である。１０２は光学レンズであり、レンズホルダ１０３によって支持されている。１０５ａと１０５ｂは２本のレンズホルダ摺動軸であり、レンズホルダ１０３と係合している。１０６はラックであり、ラック１０６はレンズホルダ１０３と結合し、ラック１０６が摺動することによって、光学レンズ１０２はレンズホルダ摺動軸１０５ａ、１０５ｂに沿って移動する。
【０００８】
また、１１０は駆動手段として特許文献２に開示されている平面型のステップモータである。ステップモータ１１０の上面には、回転出力歯車１１１が配設され、ラック１０６と歯合してステップモータ１１０の駆動力をラック１０６に伝達する。
【０００９】
このように、平面型のステップモータ１１０を組み込んだ光学レンズ駆動装置１００は、ステップモータ１１０が筒型から平面型になり、また、ステップモータ１１０の回転方向は駆動力を伝達する回転出力歯車１１１と同一方向であるので、回転方向をウォームギアなどで変換する必要がなく、ある程度小型化を実現することが可能である。
【００１０】
【特許文献１】特開２００２−３１２９７１号公報（第８頁、第３図）
【特許文献２】特開２００４−３６４４９０号公報（第１４頁、第１０図）
【発明の開示】
【発明が解決しようとする課題】
【００１１】
Ｂｌｕ−ｒａｙディスク等の高密度光ディスク向け光ディスク装置では、使用する光源の追加に伴って搭載しなければならない部品点数が増加し、光ピックアップ装置が大きくなってしまうという問題がある。そのため、光学レンズ駆動装置を搭載するスペースが限られるため、サイズを小さくしなくてはならず、かつ形状にも制約がある。
【００１２】
この様な制約を受けた光ピックアップ装置に、図４に示す光学レンズ駆動装置を搭載することにより、特許文献１に記載の光学レンズ駆動装置を搭載した光ピックアップ装置に比べて、装置の厚みを薄くすることが可能となる。しかし、この構成においても、光ピックアップ装置が占める平面方向の総面積の内の、光学レンズ駆動装置が占める面積が、他の光学部品が占める面積に比べて大き過ぎるという問題点を解消できていない。
したがって、特に高密度光ディスク向けのノートパソコン対応の光ディスク装置に搭載される、薄型で小型の光ピックアップ装置として、この従来の光学レンズ駆動装置のままでは対応が困難とされていた。
【００１３】
本発明の目的は上記課題を解決し、光ピックアップ装置の球面収差補正を目的とした小型の光学レンズ駆動装置と、その光学レンズ駆動装置を用いた高密度光ディスク向け記録・再生用光ディスク装置に搭載される光ピックアップ装置を提供することである。
【課題を解決するための手段】
【００１４】
上記課題を解決するために、本発明の光学レンズ駆動装置及びそれを用いた光ピックアップ装置は、下記記載の構成を採用する。
【００１５】
本発明の光学レンズ駆動装置は、光学レンズを保持するレンズホルダと、レンズホルダと一体に形成されるラックと、レンズホルダを摺動可能に保持する２本のレンズホルダ摺動軸と、回転駆動力を回転出力歯車に供給する駆動装置とを備え、２本のレンズホルダ摺動軸の間に、回転出力歯車とラックとを歯合させて配置することで、駆動装置により与えられる回転駆動力を直線駆動力に変換して、レンズホルダを所定の方向に向けて移動できる様にしたことを特徴とする。
【００１６】
また、本発明の光学レンズ駆動装置は、回転駆動力を回転出力歯車に供給する駆動装置として、平面型ステップモータを用いたことを特徴とする。
【００１７】
また、本発明の光学レンズ駆動装置は、前述した光学レンズが２本のレンズホルダ摺動軸の外側に配設されていることを特徴とする。
【００１８】
また、本発明の光学レンズ駆動装置は、前述したレンズ装置と駆動装置とが、１つの支持基板上に固定配置されていることを特徴とする。
【００１９】
本発明の光ピックアップ装置は、前述した光学レンズ駆動装置を、レーザ光源と対物レンズを含む光学系の光路中に備えたことを特徴とする。
【発明の効果】
【００２０】
本発明によれば、光学レンズを所定の方向に駆動するための駆動手段に薄型の平面型ステップモータを用い、ステップモータに組み込まれ外部に突出した回転出力歯車を２本のレンズホルダ摺動軸の間に配置する構成により、ステップモータ上部の空間に、回転出力歯車と摺動機構が配設することができる。その結果、光学レンズ駆動装置の平面方向、厚み方向の大きさを低減することが出来、小型の光学レンズ駆動装置を提供することが出来る。
【発明を実施するための最良の形態】
【００２１】
以下図面により本発明の実施の形態を詳述する。
図１は、本発明の実施例１に係わる光学レンズ駆動装置の概略を示す斜視図である。図２は、本発明の実施例１に係わる光学レンズ駆動装置を搭載し光学レンズが一つによって構成される光ピックアップ装置の構成を示すブロック図である。図３は、本発明の実施例２に係わる光学レンズ駆動装置を搭載し光学レンズが２つによって構成される光ピックアップ装置の構成を示すブロック図である。
【００２２】
なお、以下に示す本発明の光ピックアップ装置は、従来の構成として説明をした２本のレンズホルダ摺動軸に係合させて、レンズホルダを介して光学レンズを両持ちで支える構造（図４参照）に代えて、レンズホルダを介して光学レンズを片持ちで支える構造としてある。この様に構成することで、装置全体のサイズを小さくしながらにして、２本のレンズホルダ摺動軸の間隔を、光学レンズを両持ちで支える構造に比べて広く取ることができ、それにより光学レンズを安定動作させることができる様になる。そして、上記作用を受けて、本発明の光学レンズ駆動装置は、所定の方向に光学レンズの移動したとしてもレンズ光軸が傾いたりすることなく、精度良く球面収差を補正することが出来る様になる。
【実施例１】
【００２３】
まず、本発明の光学レンズ駆動装置の実施例１の構成を図１に基づいて説明する。
【００２４】
実施例１の光学レンズ駆動装置１ａの特徴は、図１に示すように、光学レンズ３を所定の方向に摺動機構により駆動するための駆動手段である平面型のステップモータ１０を採用し、このステップモータ１０と光学レンズ３を移動する摺動機構が平面状に配置されていることである。図１において、１ａは本発明の実施例１の光学レンズ駆動装置である。２は光学レンズ駆動装置１ａの主な部品を平面状に配設し搭載する支持基板である。この支持基板２の一部は、略直角に立ち上がった支持壁２ａ〜２ｃを有している。３は光学レンズ（コリメータレンズ）であり、レンズホルダ４によって支持されている。
【００２５】
１１は駆動手段として作用してラック３０にステップモータ１０からの出力を伝えるための回転出力歯車であり、ステップモータ１０の表面から突出して配設される。ラック３
０は回転出力歯車１１と歯合して回転出力歯車１１の回転運動を直線運動に変換する。
【００２６】
また、３２ａ、３２ｂは２本のレンズホルダ摺動軸であり、光学レンズ３の光軸５と平行に支持基板２に固定される。すなわち、一方のレンズホルダ摺動軸３２ａの両端は、支持基板２の一部が立ち上がった支持壁２ａと支持壁２ｂによって支持され、また、他方のレンズホルダ摺動軸３２ｂの両端は、支持壁２ａと支持壁２ｃによって支持される。また、レンズホルダ４は、この２つのレンズホルダ摺動軸３２ａ、３２ｂと摺動自在に係合し、回転出力歯車１１からの駆動力によってラック３０が移動すると、レンズホルダ４とレンズホルダ４に支持される光学レンズ３は、係合するレンズホルダ摺動軸３２ａ、３２ｂにガイドされて光軸５に沿って移動する。
【００２７】
また、３３はバネであり、レンズホルダ４と支持壁２ｂに取り付けられており、バネ力でレンズホルダ４を一方向に引っ張る機能を有している。３４はフォトインタラプタであり、レンズホルダ４の原点検出の機能を有している。また、ステップモータ１０を駆動するモータ駆動信号やフォトインタラプタ３４の検出信号などを外部と入出力する方法としては、図示しないフレキシブルプリント基板やリード線などを用いそれぞれの端子を介して行う。
【００２８】
以上、図１で示したように、駆動手段であるステップモータ１０は支持基板２に直接固着され、また、ラック３０とレンズホルダ４は一体化されてレンズホルダ摺動軸３２ａ、３２ｂを介して支持基板２に配設される。この様にして駆動手段であるステップモータ１０上の空間に、回転出力歯車１１とその回転出力歯車と歯合するラック３０が配設されるので、小型で薄型の光学レンズ駆動装置１ａを実現出来る。また、支持基板２によって駆動手段とこれら部材が一体化されるので、振動や衝撃に強く、携帯型機器への搭載に好適な光学レンズ駆動装置１ａとすることが出来る。
【００２９】
次に、本発明の実施例１の作用を図１に基づいて説明する。
【００３０】
ここで、モータ駆動信号が入力されると、ステップモータ１０のコイル１４ａ、１４ｂに駆動電流が流れ、ロータ１７が励起されて回転を開始する。ロータ１７が回転すると、その駆動力は図示しないトルク増大歯車に伝達され、回転スピードが減速されると共に増大したトルクが回転出力歯車１１に伝達されて回転出力歯車１１が回転する。
【００３１】
そして、回転出力歯車１１に歯合しているラック３０によって回転運動が直線運動に変換され、ラック３０と一体化されているレンズホルダ４は、２本のレンズホルダ摺動軸３２ａ、３２ｂにガイドされながら摺動する。これにより、レンズホルダ４を介して片持ちで支持されている光学レンズ３は、光軸５に沿って移動する。尚、ステップモータ１０は可逆モータであるので、モータ駆動信号によって自在に正転・逆転が可能であり、これによって、光学レンズ３は、光軸５に沿って前後自在に移動することが出来る。
【００３２】
また、バネ３３によりレンズホルダ４を介してラック３０を一方向に引っ張り、ラック３０と回転出力歯車１１にバックラッシュが生じることを防いでいる。このように、光学レンズ駆動装置１ａが占める平面積を小さくしながらにして、光学レンズ３は、幅広に配置される２本のレンズホルダ摺動軸３２ａ、３２ｂによってガイドされて移動するので、滑らかで確実な移動が可能となる。
【００３３】
以上のように、本発明の光学レンズ駆動装置１ａは、平面型のステップモータ１０を採用し、且つ、組み込まれた回転出力歯車１１とラック３０を２本のレンズホルダ摺動軸３２ａ、３２ｂの間に配置する構成により、駆動手段であるステップモータ１０上の空間に、回転出力歯車１１とラック３０が配設されて、光学レンズ駆動装置１ａの平面積ととも
に厚みを小さくすることが出来るようになる。これにより、小型の光学レンズ駆動装置１ａを提供することが出来る。
【００３４】
次に、本発明の実施例１の光ピックアップ装置の全体構成の概略を図２のブロック図に基づいて説明する。
【００３５】
図２において、６０は本発明の実施例１の光ピックアップ装置であり、その内部に本発明の光学レンズ駆動装置１ａが組み込まれている。また、光ピックアップ装置６０の内部には、３つのレーザ光源４１ａ、４１ｂ、４１ｃが備えられている。
【００３６】
ここで、レーザ光源４１ａは、例えば、波長λ＝４０５ｎｍのレーザ光である光ビーム４２ａを発し、Ｂｌｕ−ｒａｙディスク等の高密度光ディスクに対応する。レーザ光源４１ｂは、例えば、波長λ＝７８５ｎｍのレーザ光である光ビーム４２ｂを発し、ＣＤ等の光ディスクに対応する。レーザ光源４１ｃは、例えば、波長λ＝６６０ｎｍのレーザ光である光ビーム４２ｃを発し、ＤＶＤ等の光ディスクに対応する。
【００３７】
また、４３ａ、４３ｂはプリズムであり、レーザ光源４１ａの光路上に配置され、プリズム４３ａは、レーザ光源４１ｂからの光ビーム４２ｂを入射して光路を９０度変更する。また、プリズム４３ｂは、レーザ光源４１ｃからの光ビーム４２ｃを入射して光路を９０度変更する。これにより、光ビーム４２ｂ、４２ｃの光路は、光ビーム４２ａの光路と一致する。４４は偏向ビームスプリッタ（以下、ＰＢＳと略す）であり、光ビーム４２ａ、４２ｂ、４２ｃを通過して、後述する反射光の光路を９０度変更する。
【００３８】
また、４５はλ／４位相差板であり、４６は対物レンズであり、共に光ビーム４２ａ〜４２ｃの光路中に配置される。そして、本発明の光学レンズ駆動装置１ａは、３つのレーザ光源４１ａ、４１ｂ、４１ｃと対物レンズ４６を含む光学系の光路中に備えられて球面収差補正を行う。すなわち、光学レンズ駆動装置１ａの光学レンズ３は光ビーム４２ａ〜４２ｃの光路中に置かれ、駆動ＩＣ６２からのモータ駆動信号Ｍ１がステップモータ１０に供給され、ステップモータ１０は、図１に示した回転出力歯車１１とラック３０を介して光学レンズ３を移動する。
【００３９】
また、液晶素子７１は、光学レンズ駆動装置１ａとλ／４位相差板４５の間に配設され、駆動ＩＣ６２からの液晶駆動信号Ｏ１が液晶素子７１に供給されて収差補正を行う。尚、駆動ＩＣ６２は外部から制御信号Ｃ１を入力してステップモータ１０と液晶素子７１の制御を実行する。
【００４０】
また、４７は情報の再生又は記録が可能な光ディスクであり、対物レンズ４６によって集光された光ビーム４２ａ〜４２ｃが照射され、反射光４２ｄが反射される。４８は集光レンズであり、ＰＢＳ４４によって光路が９０度変更された反射光４２ｄの光路中に配置される。４９は光検出器であって、集光レンズ４８からの反射光４２ｄを入射して電気信号に変換する。
【００４１】
次に、図２に基づいて本発明の実施例１の光ピックアップ装置６０の作用を説明する。尚、光ピックアップ装置６０に搭載される本発明の光学レンズ駆動装置１ａに関連する重複する説明は一部省略する。また説明の前提として、Ｂｌｕ−ｒａｙディスク等の高密度光ディスクを再生する場合を想定して説明する。
【００４２】
図２において、レーザ光源４１ａから４０５ｎｍの光ビーム４２ａが発せられると、光ビーム４２ａは、２つのプリズム４３ａ、４３ｂとＰＢＳ４４を通過し、更に光学レンズ駆動装置１ａの光学レンズ３と液晶素子７１を通過する。
【００４３】
そして、光ビーム４２ａはλ／４位相差板４５と対物レンズ４６を通過し、対物レンズ４６によって集光されてＢｌｕ−ｒａｙディスク等の高密度光ディスク４７の情報記録面に照射される。光ディスク４７に照射された光ビーム４２ａは、光ディスク４７の情報記録面で反射して反射光４２ｄとなって再び対物レンズ４６とλ／４位相差板４５を通過する。λ／４位相差板４５を通過した反射光４２ｄは、再び液晶素子７１と光学レンズ駆動装置１ａの光学レンズ３を通過してＰＢＳ４４に入射する。
【００４４】
ＰＢＳ４４に入射した反射光４２ｄは、ＰＢＳ４４で光路が９０度変更されて集光レンズ４８によって集光されて光検出器４９に入射する。光検出器４９は、反射光４２ｄの強弱を電気信号に変換し、図示しないが光検出信号を外部のコントローラに送り、光ディスク４７に記録された情報を再生する。また、光検出信号を入力するコントローラは、光ビーム４２ａとその反射光４２ｄの収差を補正するために光学レンズ駆動装置１ａの駆動ＩＣ６２に制御信号Ｃ１を出力し、ステップモータ１０と液晶素子７１を制御して収差を補正し、最適な反射光４２ｄを得る。
【００４５】
ここで、光学レンズ駆動装置１ａは、駆動ＩＣ６２からのモータ駆動信号Ｍ１によってステップモータ１０を駆動し、光学レンズ３は、矢印Ａの方向に移動し、対物レンズ４６との位置関係を変化させることにより、光ディスク４７のカバー層の厚み誤差等による球面収差を補正する。特に、Ｂｌｕ−ｒａｙディスク等の高密度光ディスクの再生／記録では、この球面収差が性能に大きく影響するので、球面収差補正は重要である。
【００４６】
また、液晶素子７１を、光学レンズ駆動装置１ａとλ／４位相差板４５との間に備えることにより、球面収差の補正を行ったり、光ディスク４７のチルト角等に起因するコマ収差や光学系に起因する非点収差等の補正を行う。このように、本発明の光ピックアップ装置６０に、本発明の光学レンズ駆動装置１ａを組み込むことにより、液晶素子７１と共に機能して光ビームの複数の収差を一括して補正することが出来るので、特に、Ｂｌｕ−ｒａｙディスク等の高密度光ディスクや多層記録光ディスクの再生／記録に好適となる。
【００４７】
尚、ＣＤ等の光ディスクに対応するレーザ光源４１ｂとＤＶＤ等の光ディスクに対応するレーザ光源４１ｃがそれぞれ発する光ビーム４２ｂ、４２ｃは、それぞれの光路上にあるプリズム４３ａ、４３ｂで光路が９０度変更され、その後の光路は光ビーム４２ａと同じ光路を通り、作用は基本的に同じであるので、以降の説明は省略する。
【００４８】
以上のように本発明の光ピックアップ装置６０は、光学レンズ駆動装置１ａによって球面収差補正を行い、また、液晶素子７１によってコマ収差や非点収差等の補正を行うことが出来るので、高精度な収差補正を必要とする高密度光ディスクの記録・再生に好適である。また、光学レンズ駆動装置１ａを搭載することで、ノート型パソコンや携帯型ビデオ再生機などの携帯性が重要視される電子機器に搭載される薄型の記録・再生用光ディスク装置に極めて好適な光ピックアップ装置６０を提供することが出来る。
【実施例２】
【００４９】
次に、図３に基づいて本発明の実施例２の光ピックアップ装置の全体構成の概略を説明する。ここで、実施例２の光ピックアップ装置の特徴は、搭載される光学レンズ駆動装置が球面収差補正のための２つの光学レンズで構成されたビームエキスパンダとしている点である。尚、実施例１と同一要素には同一番号を付し、重複する説明は省略する。
【００５０】
図３において、５０は本発明の実施例２の光ピックアップ装置であり、その内部に本発明の光学レンズ駆動装置１ｂが組み込まれている。光学レンズ駆動装置１ｂは、実施例１で示した光学レンズ駆動装置１ａと基本的に同じであるが、２つの光学レンズを有し、そ
のうちの一つの光学レンズがステップモータによって移動される点が異なる。
【００５１】
ここで、光ピックアップ装置５０の内部には、レーザ光源４１ａが備えられている。レーザ光源４１ａは、例えば、波長λ＝４０５ｎｍのレーザ光である光ビーム４２ａを発し、Ｂｌｕ−ｒａｙディスク等の高密度光ディスクに対応する。
【００５２】
また、光ビーム４２ａの光路上には、コリメータレンズ５１とＰＢＳ４４と液晶素子７１とλ／４位相差板４５と対物レンズ４６が配置される。そして、本発明の光学レンズ駆動装置１ｂは、ＰＢＳ４４とλ／４位相差板４５の間に置かれ、光学レンズ駆動装置１ｂの２つの光学レンズとしての凹レンズ８１と凸レンズ８２は、光ビーム４２ａの光路上に配置されている。
【００５３】
また、光学レンズ駆動装置１ｂの駆動ＩＣ６２は、実施例１と同様に、制御信号Ｃ１を入力し、液晶駆動信号Ｏ１を出力して液晶素子７１を駆動し、また、モータ駆動信号Ｍ１を出力してステップモータ１０を駆動し、凹レンズ８１を矢印Ａの方向に移動する。他の構成は、実施例１と同様であるので説明は省略する。尚、実施例２では、実施例１の構成要素であるレーザ光源４１ｂ、４１ｃ等は省略している。
【００５４】
次に、図３に基づいて本発明の実施例２の光ピックアップ装置５０の作用を説明する。尚、説明の前提として、Ｂｌｕ−ｒａｙディスク等の高密度光ディスクを再生する場合を想定して説明する。
図３において、レーザ光源４１ａから４０５ｎｍの光ビーム４２ａが発せられると、光ビーム４２ａは、コリメータレンズ５１とＰＢＳ４４を通過し、更に、光学レンズ駆動装置１ｂの凹レンズ８１と凸レンズ８２、及び液晶素子７１を通過する。
【００５５】
そして、液晶素子７１から出射した光ビーム４２ａは、λ／４位相差板４５と対物レンズ４６を通過し、対物レンズ４６によって集光されてＢｌｕ−ｒａｙディスク等の高密度光ディスク４７の情報記録面に照射される。光ディスク４７に照射された光ビーム４２ａは、光ディスク４７の情報記録面で反射して反射光４２ｄとなって再び対物レンズ４６とλ／４位相差板４５を通過する。λ／４位相差板４５を通過した反射光４２ｄは、再び液晶素子７１と光学レンズ駆動装置１ｂの凸レンズ８２と凹レンズ８１を通過し、ＰＢＳ４４に入射する。
【００５６】
そして、ＰＢＳ４４に入射した反射光４２ｄは、ＰＢＳ４４で光路が９０度変更されて集光レンズ４８によって集光されて光検出器４９に入射する。光検出器４９は、反射光４２ｄの強弱を電気信号に変換し、図示しないが、光検出信号を外部のコントローラに送り、光ディスク４７に記録された情報を再生する。また、光検出信号を入力するコントローラは、光ビーム４２ａとその反射光４２ｄの収差を補正するために光学レンズ駆動装置１ｂに制御信号Ｃ１を出力し、ステップモータ１０と液晶素子７１を制御して収差を補正し、最適な反射光４２ｄを得る。
【００５７】
このように、実施例２の光ピックアップ装置５０は、光学レンズ駆動装置１ｂを搭載し、２つの光学レンズのうち、凹レンズ８１を移動することによって光ビームの球面収差を補正することが出来る。また、本実施例の光ピックアップ装置５０は、球面収差補正を２つの光学レンズによって行うので、球面収差を高精度に行うことが出来る。尚、光学レンズ駆動装置１ｂによって移動する光学レンズは、凸レンズ８２でも良く、また、凹レンズ８１と凸レンズ８２の両方でも良い。
【００５８】
以上のように、本発明の実施例２の光ピックアップ装置５０は、実施例１の光ピックアップ装置６０と同様な機能を備え、高密度光ディスクの記録・再生に好適であると共に、
ノート型パソコンなどの携帯性が重要視される電子機器に搭載される薄型の記録・再生用光ディスク装置に好適である。尚、本発明の実施例で示した斜視図やブロック図は、この構成に限定されるものではなく、本発明の要旨を満たすものであれば、どのような構成であっても良い。
【００５９】
また、本発明の光学レンズ駆動装置１ａ、１ｂは、光ピックアップ装置５０、６０の球面収差補正を目的とした薄型の光学レンズ駆動装置として提示したが、この目的に限定されるものではない。例えば、薄型小型の特徴を生かして、携帯電話等に搭載される小型撮像装置や監視カメラのオートフォーカス用光学レンズ駆動装置など、様々な光学装置に好適である。
【図面の簡単な説明】
【００６０】
【図１】本発明の実施例１に係わる光学レンズ駆動装置の概略を示す斜視図である。
【図２】本発明の実施例１に係わる光学レンズ駆動装置を搭載し光学レンズが一つによって構成される光ピックアップ装置の構成を示すブロック図である。
【図３】本発明の実施例２に係わる光学レンズ駆動装置を搭載し光学レンズが２つによって構成される光ピックアップ装置の構成を示すブロック図である。
【図４】従来の光学レンズ駆動装置の斜視図である。
【符号の説明】
【００６１】
１ａ、１ｂ  光学レンズ駆動装置
２  支持基板
２ａ、２ｂ、２ｃ  支持壁
３  光学レンズ
４  レンズホルダ
５  光軸
１０  ステップモータ
１１  回転出力歯車
１４ａ、１４ｂ  コイル
１７  ロータ
３０  ラック
３２ａ、３２ｂ  レンズホルダ摺動軸
３３  バネ
３４  フォトインタラプタ
５０、６０  光ピックアップ装置
４１ａ、４１ｂ、４１ｃ  レーザ光源
４２ａ、４２ｂ、４２ｃ  光ビーム
４２ｄ  反射光
４３ａ、４３ｂ  プリズム
４４  偏向ビームスプリッタ（ＰＢＳ）
４５  λ／４位相差板
４６  対物レンズ
４７  光ディスク
４８  集光レンズ
４９  光検出器
６２  駆動ＩＣ
７１  液晶素子
８１  凹レンズ
８２  凸レンズ
Ｃ１  制御信号
Ｍ１  モータ駆動信号
Ｏ１  液晶駆動信号
【図１】
2008198305.tif 000003
【図２】
2008198305.tif 000004
【図３】
2008198305.tif 000005
【図４】
2008198305.tif 000006